(57)【要約】【課題】鍵盤装置の剛性を高めつつ、重量の増加を抑えること【解決手段】鍵盤装置１は、複数の鍵１０と、第１方向に並んだ複数の鍵を支持するフレーム２０と、長手方向が第１方向に沿っている第１部材５０と、第１部分３０１、第２部分３０３および第３部分３０５を含む第２部材３０であって、第１部分、第３部分および第２部分の順で第１方向に垂直な第２方向に並び、第１部分が第１部材とフレームとに挟まれた板状部材であり、第２部分が第１部分から離れた位置で第１部材と接続し、第３部分が第１部分と第２部分との間で第１部材から離れ、長手方向が第１方向に沿っている第２部材と、を備える。【選択図】図３
2020003621.tif 000002
【特許請求の範囲】
【請求項１】
複数の鍵と、
第１方向に並んだ前記複数の鍵を支持するフレームと、
長手方向が前記第１方向に沿っている第１部材と、
第１部分、第２部分および第３部分を含む第２部材であって、前記第１部分、前記第３部分および前記第２部分の順で前記第１方向に垂直な第２方向に並び、前記第１部分が前記第１部材と前記フレームとに挟まれた板状部材であり、前記第２部分が当該第１部分から離れた位置で前記第１部材と接続し、前記第３部分が当該第１部分と当該第２部分との間で前記第１部材から離れ、長手方向が前記第１方向に沿っている前記第２部材と、
を備える鍵盤装置。
【請求項２】
前記フレーム、前記第１部分および前記第１部材を貫通する第１貫通部材をさらに備える、請求項１に記載の鍵盤装置。
【請求項３】
前記フレーム、前記第１部分および前記第１部材を貫通する第２貫通部材をさらに備え、
前記第１部材は、前記第１貫通部材と前記第２貫通部材との間において、前記フレームと接触する、請求項２に記載の鍵盤装置。
【請求項４】
前記第１部材は、前記フレームとの接触領域を有する、請求項１または請求項２に記載の鍵盤装置。
【請求項５】
前記第１部材の前記第２方向に沿った長さは、前記第２部材の前記第２方向に沿った長さより大きい、請求項１から請求項４のいずれかに記載の鍵盤装置。
【請求項６】
前記第２部材は板状の部材であり、
前記第１部分と前記第２部分との間において、前記第２部材が屈曲した部分を有することによって、前記第３部分が前記第１部材から離れる、請求項１から請求項５のいずれかに記載の鍵盤装置。
【請求項７】
前記フレームに支持された第３部材をさらに備え、
前記第３部材は、前記第３部分の上方において前記第３部分と接触せずに前記鍵と連係して上下方向に動く部分を含む、請求項１から請求項６のいずれかに記載の鍵盤装置。
【請求項８】
前記第２部分は、前記第１部材と前記フレームとに挟まれた板状部分であり、
前記フレーム、前記第２部分および前記第１部材を貫通する第３貫通部材をさらに備える、請求項１から請求項７のいずれかに記載の鍵盤装置。
【請求項９】
前記第１部材は、前記鍵より下方に配置される下部筐体と、前記鍵より上方に配置される上部筐体とを含み、
前記第１部分は、前記下部筐体と前記フレームとに挟まれている、請求項１から請求項８のいずれかに記載の鍵盤装置。
【発明の詳細な説明】
【技術分野】
【０００１】
本発明は、鍵盤装置に関する。
【背景技術】
【０００２】
鍵盤装置は、鍵が並ぶ方向に沿って鍵数に応じた長い形状を有している。このような形状によって生じる課題を解決するため、筐体の内部において様々な構成が適用されている。例えば、筐体の内部に配置される各構成の位置関係を精度よく規定するための技術が、特許文献１に開示されている。
【先行技術文献】
【特許文献】
【０００３】
【特許文献１】特許５５３２６７０号公報
【発明の概要】
【発明が解決しようとする課題】
【０００４】
鍵盤装置は一方向に長い形状を有していることから、長手方向を軸としたねじれが生じやすい。演奏操作が鍵盤装置の一部に力を加えることになるため、この力が鍵盤装置に対してねじれ変形を引き起こす場合がある。演奏操作によって鍵盤装置に変形が生じると、演奏の感覚にも影響を与える。一方、鍵盤装置の変形を抑制するために筐体の剛性を高めようとすると、鍵盤装置の重量が増加する。
【０００５】
本発明の目的の一つは、鍵盤装置の剛性を高めつつ、重量の増加を抑えることである。
【課題を解決するための手段】
【０００６】
本発明の一実施形態によれば、複数の鍵と、第１方向に並んだ前記複数の鍵を支持するフレームと、長手方向が前記第１方向に沿っている第１部材と、第１部分、第２部分および第３部分を含む第２部材であって、前記第１部分、前記第３部分および前記第２部分の順で前記第１方向に垂直な第２方向に並び、前記第１部分が前記第１部材と前記フレームとに挟まれた板状部材であり、前記第２部分が当該第１部分から離れた位置で前記第１部材と接続し、前記第３部分が当該第１部分と当該第２部分との間で前記第１部材から離れ、長手方向が前記第１方向に沿っている第２部材と、を備える鍵盤装置が提供される。
【０００７】
前記フレーム、前記第１部分および前記第１部材を貫通する第１貫通部材をさらに備えてもよい。
【０００８】
前記フレーム、前記第１部分および前記第１部材を貫通する第２貫通部材をさらに備え、前記第１部材は、前記第１貫通部材と前記第２貫通部材との間において、前記フレームと接触してもよい。
【０００９】
前記第１部材は、前記フレームとの接触領域を有してもよい。
【００１０】
前記第１部材の前記第２方向に沿った長さは、前記第２部材の前記第２方向に沿った長さより大きくてもよい。
【００１１】
前記第２部材は板状の部材であり、前記第１部分と前記第２部分との間において、前記第２部材が屈曲した部分を有することによって、前記第３部分が前記第１部材から離れてもよい。
【００１２】
前記フレームに支持された第３部材をさらに備え、前記第３部材は、前記第３部分の上方において前記第３部分と接触せずに前記鍵と連係して上下方向に動く部分を含んでもよい。
【００１３】
前記第２部分は、前記第１部材と前記フレームとに挟まれた板状部分であり、前記フレーム、前記第２部分および前記第１部材を貫通する第３貫通部材をさらに備えてもよい。
【００１４】
前記第１部材は、前記鍵より下方に配置される下部筐体と、前記鍵より上方に配置される上部筐体とを含み、前記第１部分は、前記下部筐体と前記フレームとに挟まれてもよい。
【発明の効果】
【００１５】
本発明によれば、鍵盤装置の剛性を高めつつ、重量の増加を抑えることができる。
【図面の簡単な説明】
【００１６】
【図１】本発明の第１実施形態における鍵盤装置の外観を説明する図である。
【図２】本発明の第１実施形態における鍵盤装置における発音機能を説明する図である。
【図３】本発明の第１実施形態における鍵盤装置の内部構造（鍵がレスト位置の場合）を説明する図である。
【図４】本発明の第１実施形態における補強部材とフレームとの位置関係を説明する図である。
【図５】本発明の第１実施形態における下部筐体、補強部材およびフレームの接続関係を示す概略断面図（図４におけるＡ−Ａ線断面図）である。
【図６】本発明の第１実施形態における鍵盤装置の内部構造（鍵がエンド位置の場合）を説明する図である。
【図７】本発明の第２実施形態における鍵盤装置の内部構造（鍵がレスト位置の場合）を説明する図である。
【図８】本発明の第３実施形態における鍵盤装置の内部構造（鍵がレスト位置の場合）を説明する図である。
【図９】本発明の第４実施形態における鍵盤装置の内部構造（鍵がレスト位置の場合）を説明する図である。
【発明を実施するための形態】
【００１７】
以下、本発明の一実施形態における鍵盤装置について、図面を参照しながら詳細に説明する。以下に示す実施形態は本発明の実施形態の一例であって、本発明はこれらの実施形態に限定して解釈されるものではない。なお、本実施形態で参照する図面において、同一部分または同様な機能を有する部分には同一の符号または類似の符号（数字の後にＡ、Ｂ等を付しただけの符号）を付し、その繰り返しの説明は省略する場合がある。また、図面の寸法比率は説明の都合上実際の比率とは異なったり、構成の一部が図面から省略されたりする場合がある。
【００１８】
＜第１実施形態＞
［１．概要］
第１実施形態では、電子鍵盤楽器として用いられる鍵盤装置について説明する。鍵盤装置は、筐体内部に補強部材が配置される。この補強部材によって筐体全体としての剛性を高めることで、鍵盤装置の変形が抑制される。以下、鍵盤装置について詳細を説明する。
【００１９】
［２．鍵盤装置の外観］
図１は、本発明の第１実施形態における鍵盤装置の外観を説明する図である。鍵盤装置１は、電子鍵盤楽器であって、この例では電子ピアノである。鍵盤装置１は、鍵１０、筐体５０、スピーカ６０、音源部８０および操作部９０を備える。複数の鍵１０は、一方向に並んで配置されている。ここで、複数の鍵１０が並ぶ方向（スケール方向）を第１方向Ｄ１という。第１方向Ｄ１に対して直交する方向を第２方向Ｄ２という。鍵盤装置１を上方から見た場合には、鍵１０の長手方向は、第２方向Ｄ２と同じである。第１方向Ｄ１と第２方向Ｄ２との双方に直交する方向を第３方向Ｄ３（図３参照）という。第３方向Ｄ３は、鍵盤装置１が平置きされた場合に、概ね鉛直方向（上下方向）に対応する。すなわち、鍵盤装置１が平置きされた状態では、第１方向Ｄ１および第２方向Ｄ２は、水平方向である。また、以下の説明において、鍵盤装置１に対して、演奏者がいる側（筐体５０に対して鍵１０が存在する側）を前側、演奏者とは反対側を後側という。そのため、演奏者から見ると、水平に置かれた鍵盤装置１の第１方向Ｄ１は左右方向に対応し、第２方向Ｄ２は前後方向に対応する。
【００２０】
鍵１０は、筐体５０に対して回動することができる。鍵１０の長手方向と第２方向Ｄ２とが一致する状態が、鍵１０の回動範囲に含まれる。筐体５０には、スピーカ６０、鍵位置検出部７０、音源部８０および操作部９０が配置されている。ユーザが鍵１０を操作すると、鍵盤装置１における発音機能によってスピーカ６０から音が発生する。操作部９０は、操作ボタン、タッチセンサおよびスライダなどの装置であり、発生する音の種類（音色）および音量の変更ための指示を受け付け、入力操作に応じた信号を音源部８０に出力する。なお、鍵盤装置１は、外部装置と信号の入出力をするためのインターフェイスを含んでいてもよい。インターフェイスとしては、例えば、外部装置に音信号を出力する端子、ＭＩＤＩデータの送受信をするためのケーブル接続端子などである。
【００２１】
［３．発音機能］
図２は、本発明の第１実施形態における鍵盤装置における発音機能を説明する図である。発音機能８００は、鍵位置検出部７０、音源部８０およびスピーカ６０を有する。鍵位置検出部７０は、複数の鍵１０のそれぞれに対して配置されたセンサを含む。各鍵１０に対応するセンサは、それぞれ、鍵１０の回動範囲における位置（押下量）を検出する。鍵位置検出部７０は、複数の鍵１０のいずれかを特定する情報と、特定された鍵１０の押下位置に対応する情報とを音源部８０に出力する。
【００２２】
音源部８０は、鍵１０への演奏操作に応じて音信号を生成する信号処理回路である。具体的には、音源部８０は、鍵位置検出部７０から出力された情報に基づいて音信号を生成し、生成した音信号をスピーカ６０に出力する。スピーカ６０は、音源部８０から出力された音信号を増幅して出力することによって、音信号に応じた音を発生する。
【００２３】
［４．筐体５０の内部構造］
続いて、筐体５０の内部構造、特に、鍵１０を支持するフレーム２０、および筐体５０の変形を抑制するための補強部材３０について説明する。
【００２４】
図３は、本発明の第１実施形態における鍵盤装置の内部構造（鍵がレスト位置の場合）を説明する図である。図３は、第１方向Ｄ１を法線に有する面で鍵盤装置１を切断した場合の断面を模式的に示す図である。図３においては、鍵１０のうち、白鍵１０ｗに対応する構成について示し、黒鍵１０ｂに対応する構成については、黒鍵１０ｂの位置のみ示し、その他の構成を省略している。
【００２５】
筐体５０（第１部材）は、鍵盤装置１の外装となる部材であって、下部筐体５０１および上部筐体５０３を含み、第１方向Ｄ１における鍵盤装置１の両端に配置された側板（不図示）をさらに含む。この例では、下部筐体５０１および上部筐体５０３は、この例では、アルミニウムを主成分に含む材料で形成されているが、それ以外の材料、例えば、鉄を主成分に含む材料で形成されてもよいし、樹脂材料で形成されてもよい。
【００２６】
下部筐体５０１および上部筐体５０３は、いずれも第１方向Ｄ１に沿って延びている。すなわち、下部筐体５０１の長手方向および上部筐体５０３の長手方向は、いずれも第１方向Ｄ１に沿っている。なお、下部筐体５０１および上部筐体５０３は、第１方向Ｄ１に異なる複数の位置で同一の断面形状を有していればよく、全ての位置で同一の断面形状を有している必要はない。
【００２７】
下部筐体５０１は、第１方向Ｄ１および第２方向Ｄ２を含む面（第３方向Ｄ３を法線に持つ面）を有する底部を含み、さらに前端部分および後端部分で底部から上方に屈曲した部分を含む。下部筐体５０１の底部には、前側脚部５５１が締結具５６１によって取り付けられ、後側脚部５５３が締結具５６３によって取り付けられている。締結具５６１、５６３は、ボルトとナットとを含む。この例では、締結具５６１は、下部筐体５０１および補強部材３０を貫通することによって、下部筐体５０１に前側脚部５１１および後側脚部５５３を固定するだけでなく、下部筐体５０１と補強部材３０との位置関係も固定している。
【００２８】
上部筐体５０３は、下部筐体５０１の後端部分に接続され、後端部分から前方に延びて鍵１０の後側を上方から覆い、鍵１０の前側を露出するように配置されている。
【００２９】
フレーム２０は、下部筐体５０１に補強部材３０とともに固定され、第１方向Ｄ１に並んだ複数の鍵１０を支持する。フレーム２０は、この例では樹脂材料で形成されている。フレーム２０は、鍵ガイド部２０１、鍵支持部２０３、リブ部２０７、前側底部２５１、後側底部２５３および軸部２４５を含む。鍵ガイド部２０１、鍵支持部２０３、軸部２４５、前側底部２５１および後側底部２５３は、第１方向Ｄ１に延びている。すなわち、これらの構成の長手方向は、いずれも第１方向Ｄ１に沿っている。なお、鍵ガイド部２０１、鍵支持部２０３、前側底部２５１、後側底部２５３および軸部２４５は、第１方向Ｄ１に異なる複数の位置で同一の断面形状を有していればよく、全ての位置で同一の断面形状を有している必要はない。
【００３０】
リブ部２０７は、第２方向Ｄ２および第３方向Ｄ３を含む面（第１方向Ｄ１を法線に有する面）を持つ板状の部材である。複数のリブ部２０７が、第１方向Ｄ１に並んで配置されている。複数のリブ部２０７の各々は、鍵ガイド部２０１、鍵支持部２０３、軸部２４５、前側底部２５１および後側底部２５３のそれぞれに接続されている。言い換えると、隣り合うリブ部２０７の間に、これらの構成の端部が接続されている。
【００３１】
リブ部２０７には、前側底部２５１と後側底部２５３との間において、下部筐体５０１側に切り欠き部２０９が形成されている。この切り欠き部２０９によって、前側底部２５１と後側底部２５３との間において、リブ部２０７と下部筐体５０１とが離隔した領域、すなわちフレーム２０が存在しない領域が形成される。以下、この領域を離隔領域ＳＰＲという場合がある。
【００３２】
鍵ガイド部２０１は、鍵１０の前端部下方に配置された溝部１０１に対して摺動する板状部材を含む。この板状部材は、第１方向Ｄ１を法線に有する面を有することで、鍵１０の第１方向Ｄ１への移動を規制する。鍵支持部２０３は、鍵１０の後端部分に配置された可撓部１０５を支持する。可撓部１０５が上下方向に変形することにより、鍵１０が鍵支持部２０３を中心に回動する。このとき、鍵１０は、鍵ガイド部２０１によって第１方向Ｄ１への移動を規制されているため、第１方向Ｄ１を軸に回動する。
【００３３】
前側底部２５１および後側底部２５３は、第１方向Ｄ１および第２方向Ｄ２を含む面（第３方向Ｄ３を法線に持つ面）を有する板状の部材である。この例では、前側底部２５１および後側底部２５３は、補強部材３０を介して下部筐体５０１に固定される。前側底部２５１は、締結具４０１（第１貫通部材）によって下部筐体５０１に固定される。このとき、補強部材３０の一部が、前側底部２５１と下部筐体５０１とに挟まれる。後側底部２５３は、締結具４０３（第３貫通部材）によって下部筐体５０１に固定される。このとき、補強部材３０の一部が、後側底部２５３と下部筐体５０１とに挟まれる。
【００３４】
この例では、締結具４０１、４０３は、ボルトとナットとを含み、フレーム２０（前側底部２５１、後側底部２５３）と下部筐体５０１と補強部材３０とを貫通することによって、フレーム２０と補強部材３０と下部筐体５０１との位置関係も固定している。これらの位置関係についての詳細は、後述する。
【００３５】
軸部２４５は、第１方向Ｄ１に沿って延びる棒状の部材であって、負荷部１４の軸受１４１と摺動することで、負荷部１４を回動可能に支持する。
【００３６】
負荷部１４（第３部材）は、それぞれの鍵１０に対応して配置され、軸受１４１、鍵接続部１４３および錘部１４５を含む。鍵接続部１４３は、軸受１４１に対して錘部１４５とは反対側に配置されている。鍵接続部１４３は、鍵１０の下方に設けられた負荷駆動部１０３に対して摺動する。負荷部１４は、軸受１４１よりも錘部１４５側に存在する重心を有する。そのため、負荷部１４は、鍵１０が押下されていないときには、錘部１４５が下部ストッパ１４７に載置され、鍵１０をレスト位置に保持する。鍵１０が押下されるときの負荷部１４の動きについては後述（図６参照）するが、上部ストッパ１４９は、錘部１４５の上限位置を規定している。下部ストッパ１４７および上部ストッパ１４９は、フレーム２０に支持されている。
【００３７】
補強部材３０（第２部材）は、アルミニウムを主成分とする材料を含む板状の部材である。第１方向Ｄ１に沿って延びている。すなわち、補強部材３０の長手方向は、第１方向Ｄ１に沿っている。この例では、第２方向Ｄ２に沿った長さで比較した場合に、補強部材３０より、下部筐体５０１が大きい。補強部材３０は、第１部分３０１、第２部分３０３および第３部分３０５を含む。これらの構成は、第２方向Ｄ２に、第１部分３０１、第３部分３０５および第２部分３０３の順で並ぶ。すなわち、第１部分３０１と第２部分３０３との間に第３部分３０５が配置されている。なお、補強部材３０は、第１方向Ｄ１に異なる複数の位置で同一の断面形状を有していればよく、全ての位置で同一の断面形状を有している必要はない。また、補強部材３０は、板状の部材を屈曲させて形成できるという加工性の観点から、金属等の可塑性を有する材料で形成することが好ましいが、別の材料で形成されてもよい。
【００３８】
第１部分３０１および第２部分３０３は、第１方向Ｄ１および第２方向Ｄ２を含む面（第３方向Ｄ３を法線に持つ面）を有する板状の部材であって、下部筐体５０１と接触している。第１部分３０１は、前側底部２５１と下部筐体５０１とに挟まれている。第２部分３０３は、第１部分３０１から離れた位置で後側底部２５３と下部筐体５０１とに挟まれている。第３部分３０５は、第１部分３０１と第２部分３０３との間で下部筐体５０１から離れている板状の部材である。この例では、第３部分３０５は、屈曲頂部３５５において屈曲した部分を含む。
【００３９】
補強部材３０は、第１部分３０１と第２部分３０３との間で屈曲した部分を含む。この例では、補強部材３０は、第１部分３０１と第３部分３０５との間において屈曲部３１５を含み、第２部分３０３と第３部分３０５との間において屈曲部３３５を含む。屈曲部３１５、３３５および屈曲頂部３５５は、いずれも第１方向Ｄ１に沿っていることが好ましいが、第１方向Ｄ１に対して傾いた方向に沿っている部分が含まれていてもよい。補強部材３０の一部（第３部分３０５）と下部筐体５０１とに囲まれた空間ＳＰＡが形成される。空間ＳＰＡは、第１方向Ｄ１に沿って拡がり、離隔領域ＳＰＲを通過する位置に配置される。
【００４０】
負荷部１４は、第３部分３０５の上方において、第３部分３０５と接触することなく回動する。この例では、空間ＳＰＡを効率的に形成するために、以下のように各構成に位置関係が規定されている。屈曲頂部３５５は、軸受１４１（軸部２４５）よりも錘部１４５側（後端側）に配置されている。また、下部筐体５０１から屈曲頂部３５５までの距離ｄ１は、下部筐体５０１から軸受１４１までの距離ｄ２よりも小さく、下部筐体５０１から錘部１４５の後端部までの最短距離ｄ３よりも大きい。なお、下部筐体５０１から錘部１４５の後端部までの距離は、負荷部１４の回動位置によって変化するが、最短距離は、この例では鍵１０がレスト位置の場合（図３に示す位置）における距離に対応する。言い換えると、負荷部１４の回動範囲には、補強部材３０のうち下部筐体５０１から最も離れた屈曲頂部３５５までの距離ｄ１よりも、下部筐体５０１に短い距離となる部分が含まれる。
【００４１】
［５．フレーム２０、補強部材３０および筐体５０の関係］
続いて、フレーム２０、補強部材３０および筐体５０（下部筐体５０１）の関係について、図４および図５を用いて、より詳細に説明する。
【００４２】
図４は、本発明の第１実施形態における補強部材とフレームとの位置関係を説明する図である。図４は、下部筐体５０１側から補強部材３０を見た場合の図であり、下部筐体５０１を省略して示している。図５は、本発明の第１実施形態における下部筐体、補強部材およびフレームの接続関係を示す概略断面図（図４におけるＡ−Ａ線断面図）である。
【００４３】
図４に示すように、補強部材３０の第１部分３０１には、切り欠き部３９１ａ、３９１ｃが形成されている。切り欠き部３９１ａによって補強部材３０が存在しない領域に、前側底部２５１に形成され、下部筐体５０１に向けて突出した突出部２５１５ａが配置されている。突出部２５１５ａは、第１方向Ｄ１に延びた部分および第２方向Ｄ２に延びた部分を含む略十字状に形成され、中心部に形成された貫通孔２５１７ａを含む。突出部２５１５ａの先端部は、下部筐体５０１と接触している。すなわち、下部筐体５０１は、補強部材３０を介してフレーム２０と接続する場合に限らず、フレーム２０と接触する領域を有する。貫通孔２５１７ａは、下部筐体５０１に形成された貫通孔５０１７ａと同じ位置に配置されている。締結具４０１ａは、上述した締結具４０１と同様に、ボルトとナットとを含み、貫通孔２５１７ａおよび貫通孔５０１７ａを通って、前側底部２５１と下部筐体５０１とを貫通している。
【００４４】
切り欠き部３９１ｃによって補強部材３０が存在しない領域に、前側底部２５１に形成され、下部筐体５０１に向けて突出した突出部２５１５ｃが配置されている。突出部２５１５ｃは、第１方向Ｄ１に延びた部分および第２方向Ｄ２に延びた部分を含む略十字状に形成され、中心部に形成された貫通孔２５１７ｃを含む。突出部２５１５ｃの先端部は、下部筐体５０１と接触している。貫通孔２５１７ｃには締結具が配置されていないため、この例では、貫通孔２５１７ｃは下部筐体５０１によって塞がれている。
【００４５】
突出部２５１５ａ、２５１５ｃにおいて、第１方向Ｄ１に沿った両端が、補強部材３０と接触し、または、補強部材３０から僅かに離隔している。そのため、補強部材３０とフレーム２０との位置関係を、第１方向Ｄ１に対して規定するために用いることもできる。なお、突出部２５１５ａ、２５１５ｃにおいて、第２方向Ｄ２に沿った一端が、補強部材３０と接触し、または、補強部材３０から僅かに離隔している程度であってもよい。
【００４６】
補強部材３０は、締結具４０１ｂと締結具４０１ｄとの間において、上述の切り欠き部３９１ｃが形成されている。すなわち、突出部２５１５ｃが、締結具４０１ｂ（第１貫通部材）と締結具４０１ｄ（第２貫通部材）との間において、下部筐体５０１と接触している。
【００４７】
締結具４０１ｂは、図３に示した締結具４０１と同様の構造を有し、貫通孔２５１７ｂと貫通孔３０１７ｂと貫通孔５０１７ｂとを通って、前側底部２５１と補強部材３０と下部筐体５０１とを貫通している。貫通孔２５１７ｂは前側底部２５１に形成され、貫通孔３０１７ｂは補強部材３０に形成され、貫通孔５０１７ｂは下部筐体５０１に形成され、第３方向Ｄ３に沿って見た場合に互いに重畳する位置に配置されている。締結具４０１ｄについても締結具４０１ｂと同様であり、前側底部２５１と補強部材３０と下部筐体５０１とを貫通している。
【００４８】
この例では、第１部分３０１と下部筐体５０１とは、さらに結合部３８１によって結合されている。この結合部３８１は、下部筐体５０１にバーリング加工が施され、第１部分３０１と下部筐体５０１とをバーリングカシメによって結合するものである。
【００４９】
この例では、補強部材３０の第２部分３０３には、第１部分３０１と同様に、切り欠き部３９３が形成されている。切り欠き部３９３によって補強部材３０が存在しない領域に、後側底部２５３に形成され、下部筐体５０１に向けて突出した突出部２５３５が形成されている。突出部２５３５の先端部は、下部筐体５０１と接触している。
【００５０】
補強部材３０は、締結具４０３ａと締結具４０３ｂとの間において、上述の切り欠き部３９３が形成されている。すなわち、突出部２５３５が、締結具４０３ａと締結具４０３ｂとの間において、下部筐体５０１と接触している。
【００５１】
［６．筐体５０の内部構造の動き］
続いて、鍵１０が押下されたときの筐体５０の内部構造の動きについて図３および図６を用いて説明する。
【００５２】
図６は、本発明の第１実施形態における鍵盤装置の内部構造（鍵がエンド位置の場合）を説明する図である。図３に示す状態で、鍵１０が押下されると、負荷駆動部１０３が鍵接続部１４３を押し下げる。その結果、錘部１４５が押し上げられ、負荷部１４が鍵１０に連動して軸部２４５を中心に回動する。このとき、負荷部１４は、鍵接続部１４３および負荷駆動部１０３を介して、錘部１４５の重さを鍵１０に対して負荷として与える。錘部１４５が上昇していくと、上部ストッパ１４９に衝突する。これによって、鍵１０は、押下できなくなり、すなわち、エンド位置に至る。このように下部ストッパ１４７および上部ストッパ１４９によって、鍵１０および負荷部１４の回動範囲が定義される。
【００５３】
補強部材３０の第３部分３０５は、負荷部１４と接触しないように、負荷部１４の回動範囲の外に配置されている。上述したように屈曲頂部３５５が、軸受１４１（軸部２４５）よりも錘部１４５側（後端側）に配置され、屈曲頂部３５５が錘部１４５の下方に配置されるようにする。このようにすると、錘部１４５は、鍵１０の押下によって上昇するため、屈曲頂部３５５に接触することはない。鍵接続部１４３は、鍵１０の押下によって下降するが、エンド位置において鍵接続部１４３が補強部材３０に接触しないようになっていればよい。
【００５４】
このように、負荷部１４は、補強部材３０と接触せずに鍵１０と連係して回動し、この例では、錘部１４５が第３部分３０５の上方において上下方向に動く。なお、上述した鍵位置検出部７０のセンサは、鍵接続部１４３が下降したときの位置を検出することで、鍵１０の押下量を検出するように構成されていてもよい。
【００５５】
［７．作用］
上述のように補強部材３０は、第１部分３０１と第２部分３０３とが下部筐体５０１に固定され、第１部分３０１と第２部分３０３との間に配置された第３部分３０５が、空間ＳＰＡを形成している。これによって、長手方向が第１方向Ｄ１となる下部筐体５０１と補強部材３０とが、互いにねじれの変形を抑制しあうように作用する。さらに、フレーム２０の前側底部２５１と下部筐体５０１とに挟まれるように第１部分３０１を配置することによって、下部筐体５０１と補強部材３０とフレーム２０とが、互いにねじれの変形を抑制するように作用する。この例では、フレーム２０の後側底部２５３と下部筐体５０１とに挟まれるように第２部分３０３を配置することによって、さらにねじれの変形が抑制される。
【００５６】
このようにねじれの変形を抑制する効果が高まることで、筐体５０単体としての剛性が低くても鍵盤装置１全体としての剛性を高め、鍵盤装置１の変形を抑制することができる。したがって、例えば、筐体５０をアルミニウム等の軽量な材料で形成したり、薄板化したりすることで、筐体５０を軽量化できる。補強部材３０は筐体５０に比べて小さく、軽量な材料で形成することもできるため、補強部材３０が加わることで重量が増加したとしても、筐体５０の軽量化の効果の方が大きい。そのため、鍵盤装置１全体としての重量の増加を抑えながら剛性を高めて鍵盤装置１の変形を抑制することができる。
【００５７】
ステージユース向けの電子ピアノ（ステージピアノ）および電子キーボードには、可搬性が必要であるため、軽量化が強く求められるとともに持ち上げたときの剛性感の向上が求められている。鍵盤装置１であれば、軽量化しつつ剛性を高めることが可能であるため、軽量でありつつ高い剛性感を有する電子ピアノ等を実現することができる。その際に、筐体５０をアルミニウム等の質感のよい材料で形成することで、ステージ上での電子ピアノの見栄えをよくすることもできる。さらに、演奏時において鍵１０の押下により鍵盤装置１の一部に対して強い力が加わっても、鍵盤装置１の変形が抑制されるため、弾き心地が向上し、特に、打鍵感覚が向上する。
【００５８】
＜第２実施形態＞
第１実施形態においては、第１部分３０１および第２部分３０３の双方において、フレーム２０と補強部材３０と下部筐体５０１とが締結具によって固定されていたが、いずれかが締結具によって固定されていなくてもよい。このような構成の一例を、第２実施形態として説明する。
【００５９】
図７は、本発明の第２実施形態における鍵盤装置の内部構造（鍵がレスト位置の場合）を説明する図である。第２実施形態における鍵盤装置１Ａでは、補強部材３０Ａは、第１部分３０１Ａ、第２部分３０３Ａ、第３部分３０５Ａ、第４部分３０７Ａおよび第５部分３０９Ａを含む。これらの構成は、第２方向Ｄ２に対し、第１部分３０１Ａ、第３部分３０５Ａ、第２部分３０３Ａ、第５部分３０９Ａおよび第４部分３０７Ａの順で並ぶ。第１部分３０１Ａ、第２部分３０３Ａおよび第４部分３０７Ａは、板状の部材であって、下部筐体５０１と接触している。
【００６０】
第１部分３０１Ａは、フレーム２０の後側底部２５３Ａと下部筐体５０１Ａとに挟まれている。締結具４０１Ａは、後側底部２５３Ａと第１部分３０１Ａと下部筐体５０１Ａとを貫通している。第４部分３０７Ａと下部筐体５０１Ａとは、これらを貫通する締結具４０７Ａによって固定されている。締結具４０７Ａは、上述した締結具４０１と同様に、ボルトとナットとを含む。
【００６１】
第２部分３０３Ａは、フレーム２０Ａの中央底部２５４Ａと下部筐体５０１Ａとに挟まれている。この部分は、互いに接触しているだけあり、締結具等での固定はされていない。ここで、フレーム２０Ａの筐体５０Ａへの固定方法によって、第２部分３０３Ａが下部筐体５０１Ａに押しつけられるような圧力を中央底部２５４Ａから受けてもよい。例えば、フレーム２０Ａは、前端部２５６Ａにおいて、下部筐体５０１Ａに固定される。この固定には、ボルトとナットとを含む締結具を用いてもよいし、粘着剤等を用いてもよい。前端部２５６Ａと後側底部２５３Ａとにおいて、下部筐体５０１Ａにフレーム２０Ａが固定されることで、中央底部２５４Ａが第２部分３０３Ａを下部筐体５０１Ａに向けて押すように配置されてもよい。
【００６２】
第３部分３０５Ａは、第１部分３０１Ａと第２部分３０３Ａとの間で下部筐体５０１Ａから離れている板状の部材である。第５部分３０９Ａは、第２部分３０３Ａと第４部分３０７Ａとの間で下部筐体５０１Ａから離れている板状の部材である。そのため、第２実施形態では、第３部分３０５Ａと下部筐体５０１Ａとに囲まれた空間ＳＰＡ１、および第５部分３０９Ａと下部筐体５０１Ａとに囲まれた空間ＳＰＡ２が形成される。このように複数の空間を補強部材３０Ａと下部筐体５０１Ａとの間に形成することで、より剛性を高め、鍵盤装置１Ａの変形を抑制することができる。
【００６３】
＜第３実施形態＞
第１実施形態では、外装部材となる筐体５０の内部において、補強部材３０を筐体５０とは別の構造体として配置していた。第３実施形態では、筐体５０の一部に補強部材３０の機能を持たせ、外装部材として化粧板を用いる例について説明する。
【００６４】
図８は、本発明の第３実施形態における鍵盤装置の内部構造（鍵がレスト位置の場合）を説明する図である。第３実施形態における鍵盤装置１Ｂは、筐体５０Ｂのうち、上部筐体５０３に接続される下部筐体が補強部材３０Ｂ（第２部材）として形成されている。そして、補強部材３０Ｂの外側に化粧板５５０Ｂ（第１部材）が配置されている。この例では、第２方向Ｄ２に沿った長さで比較した場合に、補強部材３０Ｂより、化粧板５５０Ｂが小さい。補強部材３０Ｂは、第１部分３０１Ｂ、第２部分３０３Ｂおよび第３部分３０５Ｂを含む。第３部分３０５Ｂは、第１部分３０１Ｂと第２部分３０３Ｂとの間に配置されている。
【００６５】
第１部分３０１Ｂは、フレーム２０の前側底部２５１と化粧板５５０Ｂとに挟まれている。前側底部２５１と第１部分３０１Ｂと化粧板５５０Ｂとは、これらを貫通する締結具４０１によって固定されている。第２部分３０３Ｂは、フレーム２０の後側底部２５３と化粧板５５０Ｂとに挟まれている。後側底部２５３と第２部分３０３Ｂと化粧板５５０Ｂとは、これらを貫通する締結具４０３によって固定されている。フレーム２０の前側底部２５１と化粧板５５０Ｂとで第１部分３０１Ｂを挟むとともに、第３部分３０５Ｂと化粧板５５０Ｂとで囲まれた空間ＳＰＡを形成することによって剛性を高め、鍵盤装置１Ｂの変形を抑制することができる。
【００６６】
＜第４実施形態＞
第４実施形態では、第１実施形態の構成において、さらに上部筐体に対しても補強部材が取り付けられる例について説明する。
【００６７】
図９は、本発明の第４実施形態における鍵盤装置の内部構造（鍵がレスト位置の場合）を説明する図である。第４実施形態における鍵盤装置１Ｃでは、筐体５０Ｃのうち上部筐体５０３Ｃにおいても、補強部材３０Ｃが取り付けられている。補強部材３０Ｃは、第１部分３０１Ｃ、第２部分３０３Ｃおよび第３部分３０５Ｃ含む。第３部分３０５Ｃは、第１部分３０１Ｃと第２部分３０３Ｃとの間に配置されている。
【００６８】
第１部分３０１Ｃは、フレーム２０Ｃの上面部２５８Ｃと上部筐体５０３Ｃとに挟まれている。上面部２５８Ｃは、第１方向Ｄ１に沿って延びた板状部材であって、リブ部２０７Ｃに接続されている。上面部２５８Ｃと第１部分３０１Ｃと上部筐体５０３Ｃとは、これらを貫通する締結具４０１Ｃによって固定されている。また、第２部分３０３Ｃと上部筐体５０３Ｃとは、これらを貫通する締結具４０３Ｃによって固定されている。締結具４０１Ｃ、４０３Ｃは、締結具４０１と同様に、ボルトとナットとを含む。フレーム２０Ｃの上面部２５８Ｃと上部筐体５０３Ｃとで第１部分３０１Ｃを挟むとともに、第３部分３０５Ｃと上部筐体５０３Ｃとに囲まれた空間ＳＰＡ３を形成することによって剛性を高め、鍵盤装置１Ｃの変形を抑制することができる。なお、この例において、筐体５０Ｃの内部において補強部材３０が設けられていなくてもよい。
【００６９】
＜変形例＞
以上、本発明の一実施形態について説明したが、本発明の一実施形態は、以下のように様々な形態に変形することもできる。また、上述した実施形態および以下に説明する変形例は、それぞれ互いに組み合わせて適用することもできる。さらに、各実施形態の構成の一部について、他の構成の追加・削除・置換をすることが可能である。以下の説明では第１実施形態を変形した例として説明するが、他の実施形態を変形する例として適用することもできる。
【００７０】
（１）第１実施形態では、第３部分３０５は、２つの平面を組み合わせた構成であったが、さらに多くの平面を組み合わせた構成であってもよい。この場合には、１つの屈曲部（屈曲頂部３５５）を含む場合に限らず、複数の屈曲部を含んでもよい。いずれの屈曲部も第１方向Ｄ１に沿っていることが好ましい。
【００７１】
（２）第１実施形態では、第３部分３０５は、２つの平面を組み合わせた構成であったが、曲面で構成されていてもよいし、曲面と平面とが組み合わされた構成であってもよい。
【００７２】
（３）第１実施形態では、締結具４０１、４０３は、ボルトおよびナットであったが、下部筐体５０１と補強部材３０とフレーム２０とを貫通して互いに固定できる部材であれば、例えば、リベット等の別の部材であってもよい。
【００７３】
（４）第１実施形態では、下部筐体５０１と補強部材３０とフレーム２０とを互いに固定するために、締結具４０１，４０３のような各構成を貫通する部材を用いていたが、それぞれを貫通せずに固定する部材、例えば、粘着テープ、接着剤等を用いてもよい。
【００７４】
（５）第１実施形態において互いに接触している構成間に、他の部材が挟まれていてもよい。例えば、下部筐体５０１と補強部材３０とが接触する部分は、互いに直接的に接続されているが、これらの間に他の部材が挟まれて間接的に接続されていてもよい。これらの構成が間接的に接続されている場合でも、互いに対向して配置されていることが好ましい。
【００７５】
（６）第１実施形態では、補強部材３０において、第１部分３０１、第２部分３０３および第３部分３０５のいずれも、同じ厚さの板状部材であったが、互いに異なる厚さであってもよい。また、各部分の全体が同じ厚さでなくてもよい。例えば、第３部分３０５の一部が他の部分よりも厚くてもよい。
【００７６】
（７）第１実施形態では、第１部分３０１および第２部分３０３は、フレーム２０と下部筐体５０１とに挟まれていたが、双方が下部筐体５０１と接続されていれば、いずれか一方は挟まれていなくてもよい。例えば、第２部分３０３がフレーム２０と下部筐体５０１とに挟まれていない場合、第２部分３０３は下部筐体５０１と接続されていれば、フレーム２０とは接続されていなくてもよい。
【００７７】
（８）第１実施形態における鍵盤装置１は、スピーカ６０を備えていたが、スピーカ６０を備えていなくてもよい。この場合には、鍵盤装置１は、音源部８０において生成された音信号を出力する端子を備えていればよい。また、鍵盤装置１は、さらに音源部８０を備えていなくてもよい。この場合には、鍵位置検出部７０の検出結果に応じて信号を出力する端子を備えていればよい。
【００７８】
（９）第１実施形態における鍵盤装置１は、負荷部１４を含んでいなくてもよい。鍵盤装置１は、少なくとも鍵１０、フレーム２０、補強部材３０および筐体５０を含んでいればよい。
【符号の説明】
【００７９】
１，１Ａ，１Ｂ，１Ｃ…鍵盤装置、１０…鍵、１０ｂ…黒鍵、１０ｗ…白鍵、１４…負荷部、２０，２０Ａ，２０Ｃ…フレーム、３０，３０Ａ，３０Ｂ，３０Ｃ…補強部材、５０，５０Ａ，５０Ｂ，５０Ｃ…筐体、６０…スピーカ、７０…鍵位置検出部、８０…音源部、９０…操作部、１０１…溝部、１０３…負荷駆動部、１０５…可撓部、１４１…軸受、１４３…鍵接続部、１４５…錘部、１４７…下部ストッパ、１４９…上部ストッパ、２０１…鍵ガイド部、２０３…鍵支持部、２０７，２０７Ｃ…リブ部、２０９…切り欠き部、２４５…軸部、２５１…前側底部、２５３，２５３Ａ…後側底部、２５４Ａ…中央底部、２５６Ａ…前端部、２５８Ｃ…上面部、３０１，３０１Ａ，３０１Ｂ，３０１Ｃ…第１部分、３０３，３０３Ａ，３０３Ｂ，３０３Ｃ…第２部分、３０５，３０５Ａ，３０５Ｂ，３０５Ｃ…第３部分、３０７Ａ…第４部分、３０９Ａ…第５部分、３１５…屈曲部、３３５…屈曲部、３５５…屈曲頂部、３８１…結合部、３９１ａ，３９１ｃ，３９３…切り欠き部、４０１，４０１ａ，４０１Ａ，４０１ｂ，４０１Ｃ，４０１ｄ，４０３，４０３ａ，４０３ｂ，４０３Ｃ，４０７Ａ…締結具、５０１，５０１Ａ…下部筐体、５０３，５０３Ｃ…上部筐体、５１１…前側脚部、５５０Ｂ…化粧板、５５１…前側脚部、５５３…後側脚部、５６１，５６３…締結具、８００…発音機能、２５１５ａ，２５１５ｃ…突出部、２５１７ａ，２５１７ｂ，２５１７ｃ，３０１７ｂ，５０１７ａ，５０１７ｂ…貫通孔、２５３５…突出部
【図１】
2020003621.tif 000003
【図２】
2020003621.tif 000004
【図３】
2020003621.tif 000005
【図４】
2020003621.tif 000006
【図５】
2020003621.tif 000007
【図６】
2020003621.tif 000008
【図７】
2020003621.tif 000009
【図８】
2020003621.tif 000010
【図９】
2020003621.tif 000011